(57)【要約】【課題】この発明は、書き換え不能なコンテンツ記録媒体に記録されたコンテンツに不具合が見つかった場合でも、ネットワークを通じて不具合のあるコンテンツを補償可能にする。【解決手段】  コンテンツ記録媒体１４からコンテンツを読み出し再生するコンテンツ再生装置１１と、コンテンツ記録媒体１４の提供元として用意され、ネットワーク１２を通じてアクセスされた際に、コンテンツの不具合の有無を示す不具合有無情報と不具合がある場合の修正コンテンツを提供するコンテンツサーバ１３とを備え、コンテンツ再生装置１１は、コンテンツ記録媒体１４から提供元を判別してコンテンツサーバ１３にアクセスし、当該サーバ１３から前記不具合有無情報及び不具合がある場合の修正コンテンツを取得し、不具合有無情報が不具合有りを示すとき、コンテンツ記録媒体１４の再生時に不具合のあるコンテンツを修正コンテンツと差し替えて再生する。【選択図】    図１
2006129169.tif 000002
【特許請求の範囲】
【請求項１】
コンテンツ記録媒体からコンテンツを読み出し再生するコンテンツ再生装置と、
前記コンテンツ記録媒体の提供元として用意され、ネットワークを通じてアクセスされた際に、前記コンテンツの不具合の有無を示す不具合有無情報と不具合がある場合の修正コンテンツを提供するコンテンツサーバとを具備し、
前記コンテンツ再生装置は、前記コンテンツ記録媒体から提供元を判別して前記コンテンツサーバにアクセスし、当該サーバから前記不具合有無情報及び不具合がある場合の修正コンテンツを取得し、前記不具合有無情報が不具合有りを示すとき、前記コンテンツ記録媒体の再生時に不具合のあるコンテンツを前記修正コンテンツと差し替えて再生することを特徴とするコンテンツ記録媒体補償システム。
【請求項２】
コンテンツ記録媒体の提供元として用意され、ネットワークを通じてアクセスされた際に、前記コンテンツの不具合の有無を示す不具合有無情報と不具合がある場合の修正コンテンツを提供するコンテンツサーバを備えるコンテンツ記録媒体補償システムに用いられ、
前記コンテンツ記録媒体のセット状態で前記記録媒体から提供元を判別して前記コンテンツサーバのアドレス情報を取得するアドレス情報取得手段と、
前記ネットワークに接続され、前記アドレス情報により前記コンテンツサーバにアクセスする通信手段と、
前記通信手段を通じて前記コンテンツサーバに前記記録媒体の識別情報を通知し、当該サーバから前記記録媒体に記録されるコンテンツの不具合有無情報と不具合がある場合の修正コンテンツを取得する情報取得手段と、
前記コンテンツの不具合有無情報及び不具合がある場合の修正コンテンツを格納する情報格納手段と、
前記コンテンツ記録媒体の再生時に前記コンテンツの不具合有無情報を参照し、不具合のあるコンテンツの再生時に前記修正コンテンツに差し替えるコンテンツ差し替え手段とを具備することを特徴とするコンテンツ再生装置。
【請求項３】
前記アドレス情報取得手段は、前記コンテンツ記録媒体に予め記録されている前記コンテンツサーバのアドレス情報を読み出すことで取得することを特徴とする請求項２記載のコンテンツ再生装置。
【請求項４】
前記アドレス情報取得手段は、前記コンテンツ記録媒体に予め記録されている提供元情報を読み出して、予め用意される提供元−アドレス情報データベースを参照することで前記コンテンツサーバのアドレス情報を取得することを特徴とする請求項２記載のコンテンツ再生装置。
【請求項５】
コンテンツ記録媒体の提供元として用意され、ネットワークを通じてアクセスされた際に、前記コンテンツの不具合の有無を示す不具合有無情報と不具合がある場合の修正コンテンツを提供するコンテンツサーバを備えるコンテンツ記録媒体補償システムに用いられ、
前記コンテンツ記録媒体のセット状態で前記記録媒体から提供元を判別して前記コンテンツサーバのアドレス情報を取得するアドレス情報取得手段と、
前記ネットワークに接続され、前記アドレス情報により前記コンテンツサーバにアクセスする通信手段と、
前記通信手段を通じて前記コンテンツサーバに前記記録媒体の識別情報を通知し、当該サーバから前記記録媒体に記録されるコンテンツの不具合有無情報と不具合がある場合の修正コンテンツを取得する情報取得手段と、
前記コンテンツの不具合有無情報及び不具合がある場合の修正コンテンツを格納する情報格納手段と、
前記コンテンツ記録媒体に記録されるコンテンツを他の記録媒体に複製する際に、前記コンテンツの不具合有無情報を参照して不具合のあるコンテンツの複製時に前記修正コンテンツに差し替えるコンテンツ差し替え手段とを具備することを特徴とするコンテンツ記録装置。
【請求項６】
前記アドレス情報取得手段は、前記コンテンツ記録媒体に予め記録されている前記コンテンツサーバのアドレス情報を読み出すことで取得することを特徴とする請求項５記載のコンテンツ再生装置。
【請求項７】
前記アドレス情報取得手段は、前記コンテンツ記録媒体に予め記録されている提供元情報を読み出して、予め用意される提供元−アドレス情報データベースを参照することで前記コンテンツサーバのアドレス情報を取得することを特徴とする請求項５記載のコンテンツ再生装置。
【請求項８】
コンテンツ記録媒体の提供元として用意され、ネットワークを通じてアクセスされた際に、前記コンテンツの不具合の有無を示す不具合有無情報と不具合がある場合の修正コンテンツを提供するコンテンツサーバを備えるコンテンツ記録媒体補償システムに用いられ、
前記コンテンツ記録媒体のセット状態で前記記録媒体から提供元を判別して前記コンテンツサーバのアドレス情報を取得するアドレス情報取得過程と、
前記アドレス情報により前記ネットワークを通じて前記コンテンツサーバにアクセスし、前記コンテンツサーバに前記記録媒体の識別情報を通知して当該サーバから前記記録媒体のコンテンツの不具合有無情報と不具合がある場合の修正コンテンツを取得するコンテンツ情報取得過程と、
前記コンテンツの不具合有無情報及び不具合がある場合の修正コンテンツを格納する情報格納過程と、
前記コンテンツ記録媒体の再生時に前記コンテンツの不具合有無情報を参照し、不具合のあるコンテンツの再生時に前記修正コンテンツに差し替えるコンテンツ差し替え過程とを具備することを特徴とするコンテンツ再生方法。
【請求項９】
コンテンツ記録媒体の提供元として用意され、ネットワークを通じてアクセスされた際に、前記コンテンツの不具合の有無を示す不具合有無情報と不具合がある場合の修正コンテンツを提供するコンテンツサーバを備えるコンテンツ記録媒体補償システムに用いられ、
前記コンテンツ記録媒体のセット状態で前記記録媒体から提供元を判別して前記コンテンツサーバのアドレス情報を取得するアドレス情報取得過程と、
前記アドレス情報により前記ネットワークを通じて前記コンテンツサーバにアクセスし、前記コンテンツサーバに前記記録媒体の識別情報を通知して当該サーバから前記記録媒体のコンテンツの不具合有無情報と不具合がある場合の修正コンテンツを取得するコンテンツ情報取得過程と、
前記コンテンツの不具合有無情報及び不具合がある場合の修正コンテンツを格納する情報格納過程と、
前記コンテンツ記録媒体に記録されるコンテンツを他の記録媒体に複製する際に、前記コンテンツの不具合有無情報を参照して不具合のあるコンテンツの複製時に前記修正コンテンツに差し替えるコンテンツ差し替え過程とを具備することを特徴とするコンテンツ記録方法。
【発明の詳細な説明】
【技術分野】
【０００１】
この発明は、コンテンツ記録媒体に不具合が発生した場合にその補償を容易に実現するためのコンテンツ記録媒体補償システムに関する。
【背景技術】
【０００２】
近年、ＤＶＤ（Digital Versatile Disk）等の記録媒体に映画やミュージッククリップ等のコンテンツを収録したＤＶＤ−ＲＯＭが提供され、ＤＶＤ再生装置を用いて高品位な映像・音声を視聴可能となってきている。
【０００３】
ところで、ＤＶＤ−ＲＯＭのようなコンテンツ記録媒体はデータの書き換えが不能であるため、修正データへの書き換えができない。このため、何らかの原因で不具合のある状態で販売されてしまうと、その回収・交換が余儀なくされ、莫大な費用と手間がかかってしまう。
【０００４】
一方、近年ではインターネットを利用したネットワークを通じて、ユーザがコンピュータ端末からサーバにアクセスして所望のコンテンツを選択しダウンロードすることで、任意のコンテンツを容易に取得できるようになってきている。このようなネットワーク配信システムにおいては、コンテンツに不具合が発生した場合の対応策が必要となる。その具体例が特許文献１に提示される。この特許文献１によれば、サーバがユーザコンピュータから記録されたコンテンツの最終更新日時を受信して、修復／更新が必要であるか否かを判断し、修正／更新するデータを送信して不具合のあるデータ部分を書き換えるというものである。
【０００５】
しかしながら、上記特許文献１による手法は、あくまでもコンテンツが書き換え可能な記録媒体に格納されている場合を想定するものであり、ＤＶＤ−ＲＯＭのような書き換え不能な記録媒体に記録されたコンテンツを補償しようとするものではない。
【特許文献１】特開２００２−０４９５１８号公報
【発明の開示】
【発明が解決しようとする課題】
【０００６】
本発明の目的は、書き換え不能なコンテンツ記録媒体に記録されたコンテンツに不具合が見つかった場合に、ネットワークを通じて不具合のあるコンテンツを補償することが可能なコンテンツ記録媒体補償システム、コンテンツ再生／記録装置及びコンテンツ再生／記録方法を提供することにある。
【課題を解決するための手段】
【０００７】
この発明に係るコンテンツ記録媒体補償システムは、コンテンツ記録媒体からコンテンツを読み出し再生するコンテンツ再生装置と、前記コンテンツ記録媒体の提供元として用意され、ネットワークを通じてアクセスされた際に、前記コンテンツの不具合の有無を示す不具合有無情報と不具合がある場合の修正コンテンツを提供するコンテンツサーバとを具備し、前記コンテンツ再生装置は、前記コンテンツ記録媒体から提供元を判別して前記コンテンツサーバにアクセスし、当該サーバから前記不具合有無情報及び不具合がある場合の修正コンテンツを取得し、前記不具合有無情報が不具合有りを示すとき、前記コンテンツ記録媒体の再生時に不具合のあるコンテンツを前記修正コンテンツと差し替えて再生することを特徴とする。
【０００８】
コンテンツ記録装置において、コンテンツ記録媒体からコンテンツを複製する場合についても同様であり、前記コンテンツサーバからコンテンツの不具合有無情報と不具合がある場合の修正コンテンツを取得し、前記コンテンツ記録媒体から読み出されるコンテンツに不具合がある場合に修正コンテンツと差し替えて複製することを特徴とする。
【発明の効果】
【０００９】
上記の構成によれば、コンテンツ記録媒体のセット状態で記録媒体から提供元を判別してコンテンツサーバにアクセスし、コンテンツサーバからコンテンツの不具合有無情報と不具合がある場合の修正コンテンツを取得し、コンテンツ記録媒体から不具合のあるコンテンツを読み出し再生または複製する際に修正コンテンツと差し替えることができる。
【００１０】
したがって、本発明によれば、書き換え不能なコンテンツ記録媒体に記録されたコンテンツに不具合が見つかった場合でも、ネットワークを通じて不具合のあるコンテンツを補償することが可能なコンテンツ記録媒体補償システム、コンテンツ再生／記録装置及びコンテンツ再生方法／記録方法を提供することができる。
【発明を実施するための最良の形態】
【００１１】
以下、この発明の実施の形態について図面を参照して詳細に説明する。
【００１２】
（第１の実施形態）
図１は、この発明のコンテンツ記録媒体補償システムの第１の実施形態の構成を示すブロック図である。図１において、１１はＤＶＤ再生装置、１２はインターネット等のネットワーク、１３はＤＶＤ−ＲＯＭディスク１４の提供元としてネットワーク上に配置されるコンテンツサーバである。コンテンツサーバ１３には、予めＤＶＤ−ＲＯＭディスク１４に収録したコンテンツに不具合があるか否かを示す不具合有無情報、不具合がある場合の修正コンテンツ（本発明において、修正には挿入の概念も含むものとする）が登録されており、アクセスのあったＤＶＤ再生装置１１に不具合有無情報、修正コンテンツを提供するものである。
【００１３】
尚、ここでは、ＤＶＤ−ＲＯＭディスク１４には予めコンテンツサーバ１３にアクセスするためのアドレス情報（ＵＲＬ）が記録されているものとする。
【００１４】
上記ＤＶＤ再生装置１１において、ディスクドライブ部１１１により、ＤＶＤ−ＲＯＭディスク１４から読み出される記録データは、データ処理部１１２に送られる。このデータ処理部１１２は、ディスク１４の装填時にリードインエリアから読み出されるパラメータ情報を判別してディスク再生のためのセッティングを促し、再生操作によってディスク１４から読み出されるコンテンツデータを、セレクタ１１３を介してコンテンツ再生部１１４に送る。コンテンツ再生部１１４は入力されたコンテンツデータを映像、音声別にデコードするもので、デコードされた映像信号、音声信号は出力端子１１５を通じて図示しないディスプレイ、スピーカに出力される。
【００１５】
一方、データ処理部１１２は、ディスク読み出しデータからディスク提供元のアドレス情報、タイトル識別情報、コンテンツＩＤ（ディスクに記録された個々のコンテンツに付された識別情報）を判別し、各判別情報をコンテンツ不具合情報管理部１１６に送る。
【００１６】
このコンテンツ不具合情報管理部１１６は、データ処理部１１２から判別情報が与えられると、アドレス情報に基づいて通信処理部１１７を起動して、ネットワーク１２を通じてコンテンツサーバ１３にアクセスし、当該コンテンツサーバ１３にタイトルＩＤを通知する。コンテンツサーバ１３では、ＤＶＤ再生装置１１から送られてくるタイトル識別情報から不具合補償対象か否かを判別し、不具合有無情報及び不具合がある場合の修正コンテンツを提供する。
【００１７】
ＤＶＤ再生装置１１では、コンテンツ不具合情報管理部１１６の処理により、サーバ１３からの不具合有無情報は不具合有無情報保持部１１８に格納され、修正コンテンツは修正コンテンツ保持部１１９に格納される。コンテンツＩＤ比較部１１１０は、ＤＶＤ再生中において、修正コンテンツ保持部１１９に格納されている修正コンテンツに付されたコンテンツＩＤとデータ処理部１１２からのコンテンツＩＤと比較し、一致した場合に、セレクタ１１３の選択をデータ処理部１１２の出力コンテンツから修正コンテンツ保持部１１９の読み出しコンテンツに切り替えて（コンテンツ差し替え）、コンテンツ再生部１１４に送出する。
【００１８】
上記構成において、以下、図２を参照して、ＤＶＤ再生装置１１及びコンテンツサーバ１３それぞれの処理の流れを説明する。
【００１９】
まず、ＤＶＤ再生装置１１では、電源投入により起動状態となり（ＰＳ０）、ＤＶＤディスク１４が装填されるとこれを検出して（ＰＳ１）、ディスク１４からタイトルＩＤ、サーバアドレス情報を取得する（ＰＳ２，ＰＳ３）。続いて、サーバアドレス情報によりディスク１４の提供元としてのコンテンツサーバ１３にアクセスして、タイトル識別情報を提示する（ＰＳ４）。
【００２０】
一方、コンテンツサーバ１３では、起動開始後（ＳＳ０）、ＤＶＤ再生装置１１からタイトル識別情報を受け取ると（ＳＳ１）、そのタイトル識別情報を持つディスクについて不具合情報の有無を確認し（ＳＳ２）、その不具合有無情報をアクセス元のＤＶＤ再生装置１１に送信する（ＳＳ３）。このとき、不具合があるか判断して（ＳＳ４）、不具合がある場合には、修正／挿入コンテンツの要求に応答して（ＳＳ５）、予め用意されている修正（挿入を含む）コンテンツをＤＶＤ再生装置１１に送信し、一連の処理を終了する（ＳＳ７）。不具合がなかった場合には、当然、修正コンテンツを送信することなく、一連を処理を終了する（ＳＳ７）。
【００２１】
上記ＤＶＤ再生装置１１では、コンテンツサーバ１３から不具合有無情報を受信すると（ＰＳ５）、その情報から装填したディスクに記録されているコンテンツに不具合があるか判断し（ＰＳ６）、不具合があった場合には、修正／挿入コンテンツ要求をコンテンツサーバ１３に送信し（ＰＳ７）、これに応答して返送される修正／挿入コンテンツを受信し（ＰＳ８）、不具合有無情報、不具合がある場合の修正コンテンツをそれぞれの保持部１１８，１１９に格納する（ＰＳ９）。
【００２２】
上記設定後、ディスク１４の再生が開始されると（ＰＳ１０）、コンテンツ不具合情報管理部１１９は不具合有無情報保持部１１８の保持内容を参照して、当該再生ディスク１４に不具合のあるコンテンツがあるか否かを判断する（ＰＳ１１）。不具合がある場合には、コンテンツＩＤ比較部１１９にて、修正コンテンツ保持部１１９に格納される修正コンテンツのＩＤと一致するコンテンツの読み出しを監視する（ＰＳ１２）。
【００２３】
この監視において、コンテンツＩＤの一致が検出された場合には、セレクタ１１３を切り替えて不具合のあるコンテンツを修正コンテンツに差し替えて（ＰＳ１３）再生処理を行うものとする（ＰＳ１４）。また、コンテンツＩＤが一致しない期間は、読み出しコンテンツに不具合はないので、そのまま再生処理を行うものとする（ＰＳ１４）。ステップＰＳ１４の再生終了後は、一連の再生処理を終了する（ＰＳ１６）。また、ステップＰＳ１１で不具合が無ければ、通常再生を継続し（ＰＳ１５）、再生終了によって一連の再生処理を終了する（ＰＳ１６）。
【００２４】
以上の処理により、ディスク上のコンテンツに不具合がある場合でも、ディスク提供元のコンテンツサーバから不具合のあるコンテンツの修正コンテンツを自動的に取得して、その不具合のあるコンテンツ再生時に修正コンテンツに差し替えるので、視聴者は不具合を意識することなく、正常なディスク再生と全く同様に視聴することが可能となる。
【００２５】
（第２の実施形態）
上記実施形態では、ＤＶＤ再生装置に本発明を適用したものであるが、本発明は、ＤＶＤ−ＲＯＭディスクのコンテンツをハードディスク（ＨＤＤ）に複製して、ディスク交換をすることなく視聴可能とするＤＶＤ−ＨＤＤ記録再生装置にも適用することが可能である。この場合には、コンテンツ複製の際し、不具合のあるコンテンツ部分を修正コンテンツに置き換えておくことで、複製コンテンツの再生時に改めて不具合コンテンツの検出、修正コンテンツへの差し替えをする必要がなくなり、視聴者にとって大変便利である。
【００２６】
図３は、この発明のコンテンツ記録媒体補償システムの第２の実施形態として、上記ＤＶＤ−ＨＤＤ記録再生装置を採用する場合の構成を示すブロック図である。尚、図３において、図１に示すコンテンツ再生部以降を除き、主要部分の構成は第１の実施形態と同様である。このため、図３において、図１と同一部分には同一符号を付して示し、ここでは異なる部分を中心に説明する。
【００２７】
図３に示すＤＶＤ−ＨＤＤ記録再生装置１１′では、セレクタ１１３の出力系統にＨＤＤ１１１１へコンテンツを伝送する系統が設けられ、コンテンツ複製指示があったとき、ディスク１４から読み出されるコンテンツをＨＤＤ１１１１へ伝送して書き込ませることができるようになっている。ＨＤＤ１１１１から読み出されたコンテンツは上記コンテンツ再生部１１４に送られ、再生処理することが可能である。
【００２８】
上記構成によるＤＶＤ−ＨＤＤ記録再生装置１１′において、ディスク１４に記録されているコンテンツに不具合があった場合、その前処理は第１の実施形態と全く同様であり、コンテンツサーバ１３から取得し格納した不具合有無情報、修正コンテンツはそれぞれの保持部１１８，１１９に格納される。このため、ディスク１４のコンテンツ複製指示があった場合、セレクタ１１３にて通常はディスク１４からの読み出しコンテンツがＨＤＤ１１１１に送られ、不具合のあるコンテンツが読み出された場合には、コンテンツＩＤ比較部１１１０の検知処理により修正コンテンツに差し替えられてＨＤＤ１１１１に送られる。この結果、ＨＤＤ１１１１には、不具合が解消された状態でコンテンツが複製されることになる。
【００２９】
この場合の一連の処理の流れを図４に示す。図４において、図２と同一部分には同一符号を付して示す。すなわち、図４において、図２と異なる点は、ステップＰＳ１０，ＰＳ１４，ＰＳ１５の再生処理が複製処理ＰＳ１０′，ＰＳ１４′，ＰＳ１５′に置き換わった点にある。基本的には同様な処理なので、ここでは説明を省略する。
【００３０】
以上の処理により、ディスク上のコンテンツに不具合がある場合でも、ディスク提供元のコンテンツサーバから不具合のあるコンテンツの修正コンテンツを自動的に取得して、その不具合のあるコンテンツ複製時に修正コンテンツに差し替えるので、複製コンテンツの再生時に改めて修正コンテンツに置き換える必要はなくなり、無用な処理を簡略化することができる。
【００３１】
（第３の実施形態）
ところで、第１の実施形態では、ＤＶＤ−ＲＯＭディスク１４にコンテンツサーバ１３のアドレス情報が書き込まれているものとして説明したが、記録媒体によってはアドレス情報が書き込まれていない場合もある。このようなケースでは、コンテンツが記録されるディスク１４には、通常、コンテンツ所有者情報が書き込まれていることを利用する。
【００３２】
図５は、この発明に係るコンテンツ記録媒体補償システムの第３の実施形態として、上記のケースを想定した場合の構成を示すブロック図である。尚、図５において、図１と同一部分には同一符号を付して示し、ここでは異なる部分について説明する。
【００３３】
図５に示すシステムで特徴とする点は、ＤＶＤ再生装置１１の通信処理部１１７にコンテンツ所有者と不具合情報提供先のコンテンツサーバ１３のアドレス情報との関係を示すデータベースを構築したＲＡＭ１１１２が接続され、ディスク１４の装填時にコンテンツ所有者を読み取り、ＲＡＭ１１１２のデータベースを参照してコンテンツサーバ１３のアドレス情報を取得するようにした点にある。上記データベース格納のＲＡＭ１１１２は、ネットワーク１２を通じて適宜更新可能であり、常に最新の状態にセットしておくことで、より的確に不具合のあるディスク上のコンテンツを補償することが可能となる。
【００３４】
（変形例）
尚、上記第２の実施形態において、ＨＤＤ１１１１は内蔵型のものでもよいが、外部接続型のものであってもよい。また、ＨＤＤに限らず、ＳＤディスク等の他の記録媒体であっても同様に実施可能である。
【００３５】
また、各実施形態において、コンテンツの修正単位は、必ずしもコンテンツデータ全部である必要はなく、固有のＩＤ（例えばセクタＩＤ等）単位で修正コンテンツを作成し差し替えできるようにすればない。
【００３６】
また、各実施形態において、一度取得したコンテンツの不具合情報を不具合有無情報保持部１１８に一定期間保持しておき、その期間内の再生時には、不具合の有無を保持部１１８の情報で確認するようにすることで、不具合の無い場合のネットワークアクセスを軽減することも可能である。この有無情報の所得はコンテンツの再生時に限らず、定期的に更新することで再生前に要する処理時間を短くすることも考えられる。このことは、再生に限らず複製の場合も同様である。
【００３７】
また、第３の実施形態において、コンテンツ所有者情報がディスクに記録されているものとして説明したが、コンテンツを特定可能な情報であれば同様にアドレス情報を取得可能とすることができる。
【００３８】
この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除してもよいものである。さらに、異なる実施の形態に係る構成要素を適宜組み合わせてもよいものである。
【図面の簡単な説明】
【００３９】
【図１】この発明のコンテンツ記録媒体補償システムの第１の実施形態の構成を示すブロック図。
【図２】図１に示すシステムのＤＶＤ再生装置及びコンテンツサーバそれぞれの処理の流れを示すフローチャート。
【図３】この発明のコンテンツ記録媒体補償システムの第２の実施形態の構成を示すブロック図。
【図４】図３に示すシステムのＤＶＤ再生装置及びコンテンツサーバそれぞれの処理の流れを示すフローチャート。
【図５】この発明のコンテンツ記録媒体補償システムの第３の実施形態の構成を示すブロック図。
【符号の説明】
【００４０】
１１…ＤＶＤ再生装置、１１′…ＤＶＤ−ＨＤＤ記録再生装置、１２…ネットワーク、１３…コンテンツサーバ、１４…ＤＶＤ−ＲＯＭディスク、１１１…ディスクドライブ部、１１２…データ処理部、１１３…セレクタ、１１４…コンテンツ再生部、１１５…出力端子、１１６…コンテンツ不具合情報管理部、１１７…通信処理部、１１８…不具合有無情報保持部、１１９…修正コンテンツ保持部、１１１０…コンテンツＩＤ比較部、１１１１…ＨＤＤ、１１１２…ＲＡＭ。
【図１】
2006129169.tif 000003
【図２】
2006129169.tif 000004
【図３】
2006129169.tif 000005
【図４】
2006129169.tif 000006
【図５】
2006129169.tif 000007